(57)【要約】      （修正有）【課題】撮影部位への密着性を向上させることができるコイル、およびそのコイルを有する磁気共鳴イメージングシステムを提供する。【解決手段】コイル１３は、ヘッドレスト５２と、コイルエレメント収容部材５３および５４と、押圧部材５７および５８と、押圧部材支持台５９および６０とを有している。押圧部材５７および５８は、それぞれ押圧部材支持台５９および６０に対して摺動自在に支持されている。押圧部材５７および５８が、コイルエレメント収容部材５３および５４を被検体の頭部および頸部に押し付けることによって、コイルエレメント収容部材５３および５４を撮影部位に密着させることができる。【選択図】図２
2010051583.tif 000002
【特許請求の範囲】
【請求項１】
被検体の撮影部位が配置される配置部と、
コイルエレメントを収容するコイルエレメント収容部材と、
前記コイルエレメント収容部材を押圧することにより、前記コイルエレメント収容部材を前記配置部に配置された撮影部位に押し付ける押圧部材と、
前記押圧部材が前記配置部に近づく方向に移動可能なように前記押圧部材を支持する支持体と、
を有する、コイル。
【請求項２】
前記支持体は、前記押圧部材が前記配置部に近づく方向に移動可能なように前記押圧部材を支持する支持部材を有する、請求項１に記載のコイル。
【請求項３】
前記コイルエレメント収容部材と前記押圧部材と前記支持部材との組合せを二組有している、請求項２に記載のコイル。
【請求項４】
前記支持体は、前記支持部材が固定される基板を有する、請求項２又は３に記載のコイル。
【請求項５】
前記押圧部材は、２つの押圧部を有している、請求項１〜４のうちのいずれか一項に記載のコイル。
【請求項６】
前記押圧部材の位置を固定する固定ねじを有する請求項１〜５のうちのいずれか一項に記載のコイル。
【請求項７】
前記コイルエレメント収容部材を保持する保持部材、を有する請求項１〜６のうちのいずれか一項に記載のコイル。
【請求項８】
前記コイルエレメント収容部材は、前記保持部材に着脱自在に保持される、請求項７に記載のコイル。
【請求項９】
前記コイルエレメント収容部材は被付着面を有し、
前記保持部材は、前記被付着面に付着する付着面を有する、請求項８に記載のコイル。
【請求項１０】
前記被付着面は、前記付着面よりも広い面積を有する、請求項９に記載のコイル。
【請求項１１】
前記コイルエレメント収容部材は、
コイルエレメントが収容されるコイルエレメント筐体と、
前記コイル筐体に取り付けられ、前記撮影部位の形状に応じて変形可能な変形可能部材と、を有する、請求項１〜１０のうちのいずれか一項に記載のコイル。
【請求項１２】
前記配置部は、
被検体の頭部が配置されるヘッドレストを有する、請求項１〜１１のうちのいずれか一項に記載のコイル。
【請求項１３】
請求項１〜１２のうちのいずれか一項に記載のコイルを有する磁気共鳴イメージングシステム。
【発明の詳細な説明】
【技術分野】
【０００１】
本発明は、被検体からＭＲ信号を受信するコイル、およびそのコイルを有する磁気共鳴イメージング（Magnetic Resonance Imaging）システムに関する。
【背景技術】
【０００２】
従来より、頸動脈分岐部のプラーク診断に使用されるコイルが知られている（特許文献１参照）。
【特許文献１】特開2005-21322号公報
【発明の開示】
【発明が解決しようとする課題】
【０００３】
高品質な頸動脈分岐部のＭＲ画像を得るためには、コイルを頸部に十分に密着させる必要がある。しかし、特開2005-21322号公報のコイルでは、コイルを頸部に密着させることが難しいという問題がある。
【０００４】
本発明は、上記の事情に鑑み、撮影部位への密着性を向上させることができるコイル、およびそのコイルを有する磁気共鳴イメージングシステムを提供することを目的とする。
【課題を解決するための手段】
【０００５】
上記の問題を解決する本発明のコイルは、
被検体の撮影部位が配置される配置部と、
コイルエレメントを収容するコイルエレメント収容部材と、
上記コイルエレメント収容部材を押圧することにより、上記コイルエレメント収容部材を上記配置部に配置された撮影部位に押し付ける押圧部材と、
上記押圧部材が上記配置部に近づく方向に移動可能なように上記押圧部材を支持する支持体と、
を有している。
【発明の効果】
【０００６】
本発明では、コイルエレメント収容部材を被検体の撮影部位に押し付ける押圧部材は、被検体の撮影部位が配置される配置部に近づく方向に移動可能になっている。したがって、コイルエレメント収容部材と撮影部位との密着性が悪い場合は、押圧部材を配置部に近づく方向に移動させることにより、コイルエレメント収容部材を撮影部位にしっかりと押し付けることができ、高品質なＭＲ画像を得ることができる。
【発明を実施するための最良の形態】
【０００７】
以下、図面を参照しながら、発明を実施するための最良の形態を詳細に説明する。尚、本発明は、発明を実施するための最良の形態に限定されるものではない。
【０００８】
図１は、本発明の一実施形態の磁気共鳴イメージングシステム１のブロック図である。
【０００９】
磁気共鳴イメージングシステム１は、ＭＲ（Magnetic
Resonance）装置１０と、制御装置２０と、操作装置３０とを有している。
【００１０】
ＭＲ装置１０は、ガントリ１１とテーブル１２とを有している。テーブル１２には、被検体１４が寝ている。また、ＭＲ装置１０は、本発明の一実施形態のコイル１３を有している。コイル１３は、被検体１４の頭部１４ａから頸部１４ｂにわたる部位に設置されている。コイル１３は、頭部１４ａから頸部１４ｂにわたる部位の中で、特に頸動脈分岐部ＣＡ（図４０参照）を描出するためのコイルである。コイル１３の具体的な構造については、後述する。
【００１１】
制御装置２０は、ＭＲ装置１０を制御したり、コイル１３からのデータを処理し、画像を再構成する。再構成された画像は、操作装置３０に送られる。
【００１２】
操作装置３０は、制御装置２０に命令を送ったり、制御装置２０からの再構成画像をモニタ３１に表示する。
【００１３】
図２は、コイル１３の斜視図、図３は、コイル１３の上面図である。
【００１４】
コイル１３は、基板５１と、ヘッドレスト５２と、２つのコイルエレメント収容部材５３および５４と、２つの保持アーム５５および５６と、２つの押圧部材５７および５８と、２つの押圧部材支持台５９および６０と、２つの固定ねじ６１および６２とを有している。
【００１５】
図４は、コイル１３の分解斜視図である。
【００１６】
基板５１には、ヘッドレスト５２と、２つの保持アーム５５および５６と、２つの支持部材５９および６０とが固定されている。ヘッドレスト５２には、後述する図４０に示すように、被検体１４の頭部１４ａおよび頸部１４ｂが配置される。２つの保持アーム５５および５６は、それぞれコイルエレメント収容部材５３および５４を保持するアームである。２つの押圧部材支持台５９および６０は、それぞれ押圧部材５７および５８を摺動自在に支持する台である。
【００１７】
図５は、基板５１から、ヘッドレスト５２と、２つの保持アーム５５および５６と、２つの支持部材５９および６０とを分離して示した図である。
【００１８】
基板５１は、ヘッドレスト固定用領域５１０と、保持アーム固定用領域５１１および５１２と、支持台固定用領域５１３および５１４とを有している。
【００１９】
ヘッドレスト固定用領域５１０は、ヘッドレスト５２が固定される領域である。保持アーム固定用領域５１１および５１２は、それぞれ保持アーム５５および５６が固定される領域である。支持台固定用領域５１３および５１４は、それぞれ押圧部材支持台５９および６０が固定される領域である。
【００２０】
ヘッドレスト５２は、ヘッドレスト受部５２ａと、スポンジ５２ｂとを有している。ヘッドレスト受部５２ａは、硬質材料で成形されている。ヘッドレスト受部５２ａは、基板５１のヘッドレスト固定用領域５１０に固定される。
【００２１】
図６は、基板５１のヘッドレスト固定用領域５１０にヘッドレスト受部５２ａが固定された様子を示す図である。
【００２２】
ヘッドレスト受部５２ａは、接着剤やねじなどでヘッドレス用領域５１０に固定される。ヘッドレスト受部５２ａには、スポンジ５２ｂが貼り付けられる。
【００２３】
図７は、ヘッドレスト受部５２ａにスポンジ５２ｂが貼り付けられた様子を示す図である。
【００２４】
スポンジ５２ｂは接着剤などでヘッドレスト受部５２ａに貼り付けられる。被検体１４の頭部１４ａおよび頸部１４ｂは、後述する図４０に示すように、硬質のヘッドレスト受部５２ａに直接配置されるのではなく、やわらかい素材のスポンジ５２ｂに配置される。したがって、被検体１４が痛みや不快感を感じないようにすることができる。また、スポンジ５２ｂは、硬質のヘッドレスト受部５２ａに貼り付けられているので、ヘッドレスト受部５２ａが、被検体１４の頭部１４ａおよび頸部１４ｂの重みをしっかりと受け止める。したがって、ヘッドレスト５２は、被検体１４に痛みや不快感を感じさせること無く、被検体１４の頭部１４ａおよび頸部１４ｂを支えることができる。
【００２５】
また、基板５１は、保持アーム５５および５６が固定される保持アーム用領域５１１および５１２を有している。
【００２６】
保持アーム５５および５６は、それぞれコイルエレメント収容部材５３および５４を保持する。
【００２７】
図８は、保持アーム５５の拡大図である。
【００２８】
保持アーム５５は、アーム部５５１と、付着部５５２とを有している。付着部５５２は、アーム部５５１に着脱自在に取り付けられる構造になっている。
【００２９】
図９は、保持アーム５５の分解斜視図である。
【００３０】
アーム部５５１は、屈曲可能な構造になっている。アーム部５５１の下端５５１ａは、基板５１の保持アーム固定用領域５１１（図７参照）に固定される。アーム部５５１の上端５５１ｂの側面にはねじ溝５５１ｃが形成されており、この上端５５１ｂには、付着部５５２が着脱自在に取り付けられる。付着部５５２は、付着シート台５５３と、付着シート５５４とを有している。
【００３１】
図１０は、付着シート台５５３から付着シート５５４を分離して示した図である。
付着シート台５５３は、付着シート５５４が貼り付けられる土台になる。
【００３２】
図１１は、付着シート台５５３の斜視図（ａ）、正面図（ｂ）、側面図（ｃ）、上面図（ｄ）、および図１１（ｄ）のＡ−Ａ断面図（ｅ）である。
【００３３】
付着シート台５５３は、図１１（ａ）に示すように、アーム部５５１の上端５５１ｂ（図９参照）に取り付けられる取付部５５３ａと、付着シート５５４（図１０参照）が貼り付けられる被貼付面５５３ｂとを有している。取付部５５３ａには、図１１（ｄ）および（ｅ）に示すように、貫通孔５５３ｃが形成されている。貫通孔５５３ｃの内壁面には、図１１（ｅ）に示すように、ねじ溝５５３ｄが形成されている。このねじ溝５５３ｄは、アーム部５５１の上端５５１ｂのねじ溝５５１ｃ（図９参照）に螺合するように形成されている。したがって、付着シート台５５３の取付部５５３ａのねじ溝５５３ｄを、アーム部５５１の上端５５１ｂのねじ溝５５１ｃに螺合させることによって、付着シート台５５３をアーム部５５１に着脱自在に取り付けることができる。
【００３４】
図１０に戻って説明を続ける。
【００３５】
付着部５５２は、付着シート５５４を有している。付着シート５５４の裏面５５４ａは、接着剤などで、付着シート台５５３の被貼付面５５３ｂに貼り付けられる。付着シート５５４の表面は、コイルエレメント収容部材５３の被付着面６３２ｂ（後述する図１９参照）に着脱自在に付着する付着面５５４ｂである。付着シート５５４の裏面５５４ａが、付着シート台５５３の被貼付面５５３ｂに貼り付けられることにより、付着部５５２が構成される。付着部５５２がアーム部５５１に取り付けられることにより、保持アーム５５（図８参照）が構成される。保持アーム５５は、基板５１の保持アーム固定用領域５１１（図７参照）に固定される。
【００３６】
尚、図８〜図１１では、保持アーム５５について説明したが、もう一方の保持アーム５６（図７参照）も、保持アーム５５と同一構造である。したがって、もう一方の保持アーム５６の詳細な説明は省略する。保持アーム５６は、基板５１の保持アーム固定用領域５１２に固定される。
【００３７】
図１２は、基板５１の保持アーム固定用領域５１１および５１２に、それぞれ保持アーム５５および５６が固定された様子を示す図である。
【００３８】
保持アーム５５および５６は、接着剤やねじなどで保持アーム固定用領域５１１および５１２に固定される。
【００３９】
更に、基板５１は、押圧部材支持台５９および６０が固定される支持台固定用領域５１３および５１４を有している。
【００４０】
図１３は、押圧部材支持台５９の斜視図、図１４は、図１３のＡ−Ａ断面図、図１５は、図１３のＢ−Ｂ断面図である。
【００４１】
押圧部材支持台５９は、押圧部材５７（図４参照）を支持する支持面５９ａを有している。また、押圧部材支持台５９の側部５９ｂおよび５９ｃは、図１４に示すように、断面Ｕ字形状に形成されている。側部５９ｂには、押圧部材５７の側端縁６７１ｄ（図２３参照）が嵌入される嵌入溝５９ｄが形成されており、もう一方の側部５９ｃには、押圧部材５７の側端縁６７１ｅ（図２３参照）が嵌入される嵌入溝５９ｅが形成されている。また、押圧部材支持台５９の２つの側端面５９ｆおよび５９ｇのうちの一方の側端面５９ｇの近傍には、支持面５９ａを貫通する貫通孔５９ｈが形成されている。貫通孔５９ｈの内壁面には、図１５に示すように、ねじ溝５９ｉが形成されている。このねじ溝５９ｉは、後述する固定ねじ６１のねじ溝６１ａ（図３７参照）に螺合するように形成されている。
【００４２】
上記のように構成された押圧部材支持台５９が、基板５１の支持台固定用領域５１３（図６参照）に固定される。
【００４３】
尚、図１３〜図１５では、押圧部材支持台５９について説明したが、もう一方の押圧部材支持台６０（図７参照）も、押圧部材支持台５９と同一構造である。したがって、もう一方の押圧部材支持台６０の詳細な説明は省略する。押圧部材支持台６０は、基板５１の支持台固定用領域５１４に固定される。
【００４４】
図１６は、基板５１の支持台固定用領域５１３および５１４に、それぞれ押圧部材支持台５９および６０が固定された様子を示す図、図１７は、図１６のＡ−Ａ断面図である。
【００４５】
押圧部材支持台５９および６０は、接着剤やねじなどで、支持台固定用領域５１３および５１４に固定される。図１７に示すように、押圧部材支持台５９は、押圧部材支持台５９の一部分５９１が基板５１からはみ出すように固定されている。押圧部材支持台５９の貫通孔５９ｈは、押圧部材支持台５９の一部分５９１に形成されており、したがって、押圧部材支持台５９の貫通孔５９ｈは、基板５１からはみ出した位置に配置される。また、押圧部材支持台６０も、押圧部材支持台６０の一部分６０１が基板５１からはみ出すように固定されている。押圧部材支持台６０の貫通孔６０ｈは、押圧部材支持台６０の一部分６０１に形成されており、したがって、押圧部材支持台６０の貫通孔６０ｈは、基板５１からはみ出した位置に配置される。
【００４６】
図５〜図１７を参照しながら説明したように、ヘッドレスト５２、保持アーム５５および５６、並びに押圧部材支持台５９および６０が、基板５１に固定される。尚、基板５１と押圧部材支持台５９および６０とを合わせたものが、本発明の支持体に相当する。
【００４７】
基板５１に固定されている２つの保持アーム５５および５６には、それぞれコイルエレメント収容部材５３および５４（図４参照）が着脱自在に取り付けられる。
【００４８】
図１８は、保持アーム５５および５６にコイルエレメント収容部材５３および５４が取り付けられた様子を示す斜視図である。
【００４９】
保持アーム５５および５６にコイルエレメント収容部材５３および５４を取り付けることによって、コイルエレメント収容部材５３および５４は、ヘッドレスト５２の近くに保持される。次に、コイルエレメント収容部材５３の構造について説明する。
【００５０】
図１９は、コイルエレメント収容部材５３を正面側から見た斜視図、図２０は、コイルエレメント収容部材５３を背面側から見た斜視図である。
【００５１】
コイルエレメント収容部材５３は、コイルエレメント筐体６３と、スポンジ７３とを有している。
【００５２】
図２１は、コイルエレメント筐体６３から、スポンジ７３を分離して示した図である。
スポンジ７３は、コイルエレメント筐体６３に貼り付けられる。
【００５３】
図２２は、コイルエレメント筐体６３の分解斜視図である。
【００５４】
コイルエレメント筐体６３は、内側筐体部６３１と、外側筐体部６３２とを有している。内側筐体部６３１の外面６３１ａには、スポンジ７３（図２１参照）が貼り付けられる。また、内側筐体部６３１の内面６３１ｂには、３つのコイルエレメントが設けられている（図２３参照）。
【００５５】
図２３は、内側筐体部６３１の内面６３１ｂを示す図である。
【００５６】
内側筐体部６３１の内面６３１ｂには、３つのループ状コイルエレメント６３３、６３４、および６３５が設けられている。３つのコイルエレメント６３３、６３４、および６３５は、コイルエレメント６３３、６３４、および６３５どうしのカップリングが低減されるように配置されている。３つのコイルエレメント６３３、６３４、および６３５を設けることによって、コイルエレメントが１つ又は２つの場合よりも、ＭＲ画像に描出できる範囲を広くすることができる。したがって、頸動脈分岐部ＣＡ（図４１参照）の位置は、被検体によって微妙に異なるが、３つのコイルエレメント６３、６３４、および６３５を設けることによって、被検体にかかわらず、頸動脈分岐部ＣＡを十分に強調して描出することができる。
【００５７】
尚、頸動脈分岐部ＣＡを描出できるのであれば、コイルエレメントの数は、必ずしも３つである必要はなく、３個以下でもよく、３個以上であってもよい。また、コイルエレメント６３３、６３４、および６３５は、ループ状コイルエレメントであるが、コイルエレメントは、必ずしもループ状コイルエレメントである必要はなく、他の形状のコイルエレメント（例えば、８の字コイルエレメント）であってもよい。
【００５８】
次に、コイルエレメント筐体６３の外側筐体部６３２について説明する。
【００５９】
図２４は、コイルエレメント筐体６３の外側筐体部６３２の外面６３２ａを示す図である。
【００６０】
外側筐体部６３２の外面６３２ａには、保持アーム５５の付着面５５４ｂ（例えば図１０参照）が着脱自在に付着される被付着面６３２ｂが設けられている。この被付着面６３２ｂは、保持アーム５５の付着部５５２の付着面５５４ｂよりも広い面積を有している。外側筐体部６３２の被付着面６３２ｂが、保持アーム５５の付着部５５２の付着面５５４ｂよりも広い面積を有している理由については、後述する。
【００６１】
上記のように構成された内側筐体部６３１と外側筐体部６３２とを互いに取り付けることによって、コイルエレメント筐体６３が構成される。
【００６２】
尚、図１９〜図２４では、コイルエレメント収容部材５３について説明したが、もう一方のコイルエレメント収容部材５４（図１８参照）も、コイルエレメント収容部材５３と同一構造である。したがって、もう一方のコイルエレメント収容部材５４の詳細な説明は省略する。コイルエレメント収容部材５４は、保持アーム５６に着脱自在に取り付けられる。
【００６３】
図１８に戻って説明を続ける。
【００６４】
基板５１には、押圧部材支持台５９および６０が固定されている。押圧部材支持台５９および６０には、それぞれ押圧部材５７および５８（図４参照）が取り付けられる。次に、押圧部材５７の構造について説明する。
【００６５】
図２５は、押圧部材５７を正面側から見たの斜視図である。
押圧部材５７は、押圧パッド台５７１と、２つの押圧パッド（押圧部）５７２および５７３とを有している。
【００６６】
図２６は、押圧部材５７の分解斜視図である。
押圧パッド台５７１は、２つの押圧パッド５７２および５７３が貼り付けられる土台になる。
【００６７】
図２７は、押圧パッド台５７１を正面側から見た斜視図、図２８は、押圧パッド台５７１を背面側から見た斜視図である。
押圧パッド台５７１は、パッド台水平基板６７１と、パッド台水平基板６７１に対して垂直に延在する２つのパッド台垂直基板７７１および８７１とを有している。
【００６８】
図２９〜図３２は、押圧パッド台５７１の正面図、背面図、上面図、および下面図である。
【００６９】
パッド台水平基板６７１は、上面６７１ａおよび下面６７１ｂを有している（図２９参照）。パッド台水平基板６７１の下面６７１ｂは、押圧部材支持台５９の支持面５９ａ（図１３参照）を摺動する摺動面を構成する。
【００７０】
また、パッド台水平基板６７１は、上面６７１ａから下面６７１ｂに貫通する貫通孔６７１ｃを有している。貫通孔６７１ｃは、直線状に延在するように形成されている。貫通孔６７１ｃには、後述する図４０に示すように、固定ねじ６１が貫通する。
【００７１】
更に、パッド台水平基板６７１は２つの側端縁６７１ｄおよび６７１ｅを有している。側端縁６７１ｄは、押圧部材支持台５９の側部５９ｂの嵌入溝５９ｄ（図１４参照）に嵌入するように形成されている。また、側端縁６７１ｅは、押圧部材支持台５９の側部５９ｃの嵌入溝５９ｅ（図１４参照）に嵌入するように形成されている。
【００７２】
２つのパッド台垂直基板７７１および８７１は、パッド台水平基板６７１に対して垂直に固定されている。図２９に示すように、パッド台垂直基板７７１は、押圧パッド５７２（図２６参照）が貼り付けられる被貼付面７７１ａを有しており、パッド台垂直基板８７１は、押圧パッド５７３（図２６参照）が貼り付けられる被貼付面８７１ａを有している。
【００７３】
上記のように構成された押圧パッド台５７１に、２つの押圧パッド５７２および５７３（図２６参照）が貼り付けられることにより、押圧部材５７（図２５参照）が構成される。
【００７４】
尚、図２５〜図３２では、押圧部材５７について説明したが、もう一方の押圧部材５８（図４参照）も、押圧部材５７と同一構造である。したがって、もう一方の押圧部材５８の詳細な説明は省略する。
【００７５】
押圧部材５７は、押圧部材支持台５９に支持される。次に、押圧部材５７が押圧部材支持台５９にどのように支持されているかについて説明する。
【００７６】
図３３は、押圧部材５７が押圧部材支持台５９にどのように支持されているかを説明する図である。尚、図３３では、説明の便宜上、コイルエレメント収容部材５３および５４は、それぞれ保持アーム５５および５６から取り外された状態で図示されている。
【００７７】
押圧部材５７は、押圧部材支持台５９の側部５９ｂの嵌入溝５９ｄ（図１４参照）に嵌入する側端縁６７１ｄと、押圧部材支持台５９の側部５９ｃの嵌入溝５９ｅ（図１４参照）に嵌入する側端縁６７１ｅとを有している。押圧部材５７の側端縁６７１ｄおよび６７１ｅは、それぞれ、押圧部材支持台５９の横方向ＤＬから、押圧部材支持台５９の嵌入溝５９ｄおよび５９ｅに嵌入される（図３４参照）。
【００７８】
図３４は、押圧部材５７の側端縁６７１ｄおよび６７１ｅの一部が、それぞれ押圧部材支持台５９の嵌入溝５９ｄおよび５９ｅに嵌入した様子を示す図である。
【００７９】
図３４に示すように、押圧部材５７の側端縁６７１ｄおよび６７１ｅの一部を、それぞれ押圧部材支持台５９の嵌入溝５９ｄおよび５９ｅに嵌入させた後、押圧部材５７を横方向ＤＬにスライドさせる（図３５参照）。
【００８０】
図３５は、押圧部材５７を横方向ＤＬにスライドさせた後の様子を示す図、図３６は、図３５を上から見た図、図３７は、図３６のＡ−Ａ断面図である。
【００８１】
押圧部材５７は、図３７に示すように、押圧部材支持台５９の支持面５９ａに摺動する摺動面６７１ｂ（例えば図２９参照）を有している。したがって、押圧部材５７は、押圧部材支持台５９に対して、ヘッドレスト５２に近づく方向ＤＣ１およびヘッドレスト５２から離れる方向ＤＡ１に摺動することができる。
【００８２】
また、押圧部材５７の側端縁６７１ｄおよび６７１ｅは、押圧部材支持台５９の嵌入溝５９ｄおよび５９ｅに嵌入しているので、押圧部材５７が方向ＤＣ１およびＤＡ１に摺動しても、押圧部材５７が押圧部材支持台５９から脱落しないようにすることができる。
【００８３】
押圧部材５７は貫通孔６７１ｃを有しており、押圧部材支持台５９は貫通孔５９ｈを有している。押圧部材５７の貫通孔６７１ｃは、押圧部材５７が方向ＤＣ１およびＤＡ１に移動しても、押圧部材支持台５９の貫通孔５９ｈが押圧部材５７の貫通孔６７１ｃの内側に位置するように形成されている（図３６および図３７参照）。
【００８４】
押圧部材５７は、固定ねじ６１（例えば図４０参照）によって、押圧部材支持台５９に固定できるように構成されている。次に、固定ねじ６１について説明する（図３８参照）。
【００８５】
図３８は、固定ねじ６１を斜め上からみた斜視図（ａ）、固定ねじ６１の側面図（ｂ）である。
【００８６】
固定ねじ６１は、頭部６１ａと、首部６１ｂと、軸部６１ｃとを有している。軸部６１ｃの側面には、ねじ溝６１ｄが形成されている。ねじ溝６１ｄは、押圧部材支持台５９の貫通孔５９ｈのねじ溝５９ｉ（図１５参照）に螺合するように形成されている。
【００８７】
図３９は、押圧部材５７が固定ねじ６１で押圧部材支持台５９に固定される前の様子を示す図、図４０は、押圧部材５７が固定ねじ６１で押圧部材支持台５９に固定された後の様子を示す図である。
【００８８】
固定ねじ６１の軸部６１ｃに形成されたねじ溝６１ｄは、押圧部材支持台５９の貫通孔５９ｈのねじ溝５９ｉに螺合するように形成されている。したがって、固定ねじ６１の軸部６１ｃに形成されたねじ溝６１ｄを、押圧部材支持台５９の貫通孔５９ｈのねじ溝５９ｉに螺合させることによって、図４０に示すように、固定ねじ６１を押圧部材支持台５９に取り付けることができる。
【００８９】
また、固定ねじ６１は首部６１ｂを有している。固定ねじ６１のねじ溝６１ｄを押圧部材支持台５９のねじ溝５９ｉに螺合させることによって、固定ねじ６１の首部６１ｂが、押圧部材５７のパッド台水平基板６７１に押し当たる。したがって、パッド台水平基板６７１は、固定ねじ６１の首部６１ｂと押圧部材支持台５９との挟む力により、押圧部材支持台５９に固定される。押圧部材５７を押圧部材支持台５９に対して摺動させたい場合は、固定ねじ６１を緩めればよい。固定ねじ６１を緩めることによって、固定ねじ６１の首部６１ｂは、押圧部材５７のパッド台水平基板６７１から離れるので、押圧部材５７を方向ＤＣ１およびＤＡ１に自在にスライドさせることができる。
【００９０】
尚、図３３〜図４０では、押圧部材５７を固定ねじ６１で押圧部材支持台５９に固定する方法について説明したが、もう一方の押圧部材５８（図４参照）も、押圧部材５７と同様の方法で、固定ねじ６２で押圧部材支持台６０に固定される。
【００９１】
コイルエレメント収容部材５３および５４が、それぞれ保持アーム５５および５６５に保持され、押圧部材５７および５８が、それぞれ固定ねじ６１および６２で押圧部材支持台５９および６０に固定されることにより、コイル１３（図２および図３参照）が構成される。
【００９２】
本実施形態では、上記のように構成されたコイル１３を用いて、被検体１４の頭部１４ａから頸部１４ｂにわたる部位を撮影する。特に、本実施形態では、操作者２９は、頭部１４ａから頸部１４ｂにわたる部位の中でも、頸動脈分岐部ＣＡを強調して描出することを考えている。次に、頸動脈分岐部を強調して描出することができるようにするために、コイル１３を被検体１４にどのように取り付けるかについて、図１および図４１〜図５０を参照しながら明する。
【００９３】
先ず、図１に示すように、テーブル１２の上にコイル１３を設置し、被検体１４をテーブル１２に寝かせる。このとき、被検体１４の頭部１４ａが、コイル１３のヘッドレスト５２に配置されるように、被検体１４を寝かせる。
【００９４】
図４１は、ヘッドレスト５２に被検体１４の頭部１４ａが配置されたコイル１３の上面図である。
【００９５】
コイルエレメント収容部材５３および５４は、被検体１４の頭部１４ａおよび頸部１４ｂの両側に位置している。しかし、コイルエレメント収容部材５３および５４と被検体１４の頭部１４ａおよび頸部１４ｂとの間には隙間Ｇがあるので、これでは、頸動脈分岐部ＣＡの鮮明な画像を得ることはできない。そこで、操作者２９は、コイルエレメント収容部材５３および５４が、被検体１４の頭部１４ａおよび頸部１４ｂの側面に接触するように、保持アーム５５のアーム部５５１および保持アーム５６のアーム部５６１を屈曲させる。
【００９６】
図４２は、コイルエレメント収容部材５３および５４が被検体１４の頭部１４ａおよび頸部１４ｂの側面に接触するように、保持アームのアーム部を屈曲させたときのコイル１３の上面図、図４３は、図４２のコイル１３をコイルエレメント収容部材５３の側から見た側面図である。
【００９７】
保持アーム５５および５６のアーム部５５１および５６１は、屈曲自在の構造を有している。したがって、保持アーム５５および５６のアーム部５５１および５６１を屈曲させることによって、コイルエレメント収容部材５３および５４を被検体１４の頭部１４ａおよび頸部１４ｂの側面に接触させることができる。
【００９８】
尚、アーム部５５１を屈曲させても、コイルエレメント収容部材５３を被検体１４の頭部１４ａおよび頸部１４ｂの所望の位置にうまく接触させることができない場合は、以下のようにして、コイルエレメント収容部材５３の位置を調整することができる。
【００９９】
図４４は、コイルエレメント収容部材５３が保持アーム５５から取り外された状態のコイル１３の上面図、図４５は、図４４のコイル１３を保持アーム５５側から見た側面図である。
【０１００】
保持アーム５５は、コイルエレメント収容部材５３を着脱自在に保持する。したがって、コイルエレメント収容部材５３の被付着面６３２ｂを保持アーム５５の付着面５５４ｂから剥がすことによって、コイルエレメント収容部材５３を保持アーム５５から容易に取り外すことができる。コイルエレメント収容部材５３を保持アーム５５から取り外した後、操作者２９は、コイルエレメント収容部材５３を、被検体１４の頭部１４ａおよび頸部１４ｂの所望の位置に接触させる。
【０１０１】
図４６は、操作者２９が、コイルエレメント収容部材５３を、被検体１４の頭部１４ａおよび頸部１４ｂの所望の位置で支えているときのコイル１３の上面図、図４７は、図４６のコイル１３をコイルエレメント収容部材５３の側から見た側面図である。
【０１０２】
操作者２９は、自らの手で、コイルエレメント収容部材５３を被検体１４の頭部１４ａおよび頸部１４ｂの所望の位置に支えた後、保持アーム５５の付着面５５４ｂ（図４６参照）をコイルエレメント収容部材５３の被付着面６３２ｂに付着させる。
【０１０３】
図４８は、操作者２９が保持アームの付着部をコイルエレメント収容部材５３の被付着面に付着させたときのコイル１３の上面図、図４９は、図４８のコイル１３をコイルエレメント収容部材５３の側から見た側面図である。尚、図４９では、説明の便宜上、押圧部材５７は図示省略されている。
【０１０４】
図４９の破線Ｂ１は、図４３におけるコイルエレメント収容部材５３の位置を示し、図４９の破線Ｂ２は、図４３におけるコイルエレメント収容部材５３の被付着面６３２ｂの位置を示す。したがって、図４９から、コイルエレメント収容部材５３の位置は、図４３における位置よりも右上の方向ＤＳに移動していることがわかる。コイルエレメント収容部材５３の被付着面６３２ｂは、保持アーム５５の付着面５５４ｂよりも広い面積を有しているので、保持アーム５５の付着面５５４ｂの位置は、コイルエレメント収容部材５３の被付着面６３２ｂの範囲内において、変更することができる。したがって、操作者２９がコイルエレメント収容部材５３を所望の位置で支えながら、保持アーム５５の付着面５５４ｂをコイルエレメント収容部材５ｄ３の被付着面６３２ｂに付着させることによって、保持アーム５５はコイルエレメント収容部材５３を所望の位置で保持することができる。
【０１０５】
尚、図４４〜図４９では、コイルエレメント収容部材５３の位置調整について説明したが、もう一方のコイルエレメント収容部材５４についても、コイルエレメント収容部材５３と同様の方法で、位置調整を行うことができる。
【０１０６】
しかし、コイルエレメント収容部材５３および５４を被検体１４の所望の位置に接触させることができても、コイルエレメント収容部材５３および５４と被検体１４との密着性が悪いままで撮影を行うと、コイル１３の受信信号のＳＮ比が低下し、ＭＲ画像上に頸動脈分岐部ＣＡを強調して描出することは困難になる。したがって、コイルエレメント収容部材５３および５４は、被検体１４にできるだけ密着することが望まれる。また、撮影中に被検体１４の頭部１４ａおよび頸部１４ｂが動いてしまうと、ＭＲ画像上に体動アーチファクトが発生してしまうので、撮影中は、被検体１４の頭部１４ａおよび頸部１４ｂはできるだけ固定されていることが望まれる。そこで、本実施形態のコイル１３は、コイルエレメント収容部材５３および５４と被検体１４との密着性を高めるとともに、被検体１４の頭部１４ａおよび頸部１４ｂをできるだけ固定できるように、押圧部材５７および５８を備えている。次に、押圧部材５７および５８を用いることにより、どのようにして、コイルエレメント収容部材５３および５４と被検体１４との密着性を高めているのか、更に、どのようにして被検体１４の頭部１４ａおよび頸部１４ｂを固定しているかについて説明する。
【０１０７】
押圧部材５７は、押圧部材支持台５９に対して、ヘッドレスト５２に近づく方向ＤＡ１（図４８参照）およびヘッドレスト５２から離れる方向ＤＣ１に摺動自在に支持されている。また、押圧部材５８は、押圧部材支持台６０に対して、ヘッドレスト５２に近づく方向ＤＡ１（図４８参照）およびヘッドレスト５２から離れる方向ＤＣ２に摺動自在に支持されている。したがって、押圧部材５７および５８を、ヘッドレスト５２に近づけることによって、コイルエレメント収容部材５３および５４を被検体１４の頭部１４ａおよび頸部１４ｂに押し付けることができる。
【０１０８】
図５０は、押圧部材５７および５８を、ヘッドレスト５２に近づく方向に摺動させたときのコイル１３の上面図である。
【０１０９】
押圧部材５７および５８を、ヘッドレスト５２に近づける場合は、固定ねじ６１および６２を予め緩めておく。固定ねじ６１および６２を緩めておくことによって、押圧部材支持台５９および６０に対して押圧部材５７および５８を摺動させることができる。
【０１１０】
押圧部材５７および５８をヘッドレスト５２に近づけると、コイルエレメント収容部材５３および５４が被検体１４の頭部１４ａおよび頸部１４ｂに押し付けられる。したがって、コイルエレメント収容部材５３および５４を被検体１４の頭部１４ａおよび頸部１４ｂに十分に密着させることができる。操作者２９は、コイルエレメント収容部材５３および５４が被検体１４の頭部１４ａおよび頸部１４ｂに十分に密着するまで、押圧部材５７および５８をヘッドレスト５２に近づける。操作者２９は、コイルエレメント収容部材５３および５４が被検体１４の頭部１４ａおよび頸部１４ｂに十分に密着したことを確認して、固定ねじ６１および６２を締める。固定ねじ６１および６２を締めることによって、押圧部材５７および５８が、それぞれ押圧部材支持台５９および６０に固定される。
【０１１１】
押圧部材５７の２つの押圧パッド５７２および５７３は、コイルエレメント収容部材５３を被検体１４の頭部１４ａおよび頸部１４ｂに押し付ける。また、押圧部材５８の２つの押圧パッド５８２および５８３は、コイルエレメント収容部材５４を被検体１４の頭部１４ａおよび頸部１４ｂに押し付ける。したがって、コイルエレメント収容部材５３および５４を、被検体１４の頭部１４ａおよび頸部１４ｂに十分に密着させることができる。
【０１１２】
コイルエレメント収容部材５３および５４は、それぞれスポンジ７３および７４を有している。したがって、コイルエレメント収容部材５３および５４が、被検体１４の頭部１４ａおよび頸部１４ｂに押し付けられると、スポンジ７３および７４が、被検体１４の頭部１４ａおよび頸部１４ｂの側面の形状に従って変形する。このため、被検体１４に痛みや不快感を感じさせずに、コイルエレメント収容部材５３および５４を被検体１４の頭部１４ａおよび頸部１４ｂに密着させることができる。尚、スポンジ７３は必ずしも備える必要はない。
【０１１３】
図５０に示すように、コイルエレメント収容部材５３および５４を被検体１４の頭部１４ａおよび頸部１４ｂに十分に密着させた後、被検体１４をガントリ１１のボア１１ａ（図１参照）に搬入し、撮影を行う。
【０１１４】
本実施形態では、押圧部材５７および５８は、被検体１４のヘッドレスト５２に近づく方向に移動可能に構成されている。したがって、押圧部材５７および５８をヘッドレスト５２に近づく方向に移動させることにより、コイルエレメント収容部材５３および５４が頭部１４ａおよび頸部１４ｂに押し付けられ、コイルエレメント収容部材５３および５４が頭部１４ａおよび頸部１４ｂに密着する。このため、コイルエレメント収容部材５３および５４を頭部１４ａおよび頸部１４ｂに密着させた状態で撮影を行うことができ、コイル１３の受信信号のＳＮ比を向上させることができる。
【０１１５】
また、押圧部材５７および５８は、それぞれ固定ねじ６１および６２によって、押圧部材支持台５９および６０に固定される。したがって、被検体１４が頭部１４ａおよび頸部１４ｂを動かそうとしても、押圧部材５７および５８は、押圧部材支持台５９および６０に固定された位置から、コイルエレメント収容部材５３および５４を、頭部１４ａおよび頸部１４ｂに向けて押し続ける。このため、被検体１４が頭部１４ａおよび頸部１４ｂを動かそうとしても、被検体１４の頭部１４ａおよび頸部１４ｂは、コイルエレメント収容部材５３と５４との間に固定される。したがって、ＭＲ画像上の体動アーチファクトを十分に低減することができる。
【０１１６】
本実施形態のコイル１３はヘッドレスト５２を有している。しかし、ヘッドレスト５２は必ずしも備える必要はなく、撮影中に被検体１４の頭部１４ａおよび頸部１４ｂを固定できるのであれば、被検体１４の頭部１４ａおよび頸部１４ｂは、基板５１に直接配置されるようにしてもよい。
【０１１７】
本実施形態のコイル１３は、２つのコイルエレメント収容部材５３および５４を有している。しかし、コイルエレメント収容部材は１つのみでもよく、又は３つ以上であってもよい。
【０１１８】
本実施形態では、押圧部材５７および５８を押圧部材支持台５９および６０に対して摺動させることにより、押圧部材５７および５８をヘッドレスト５２に近づく方向に移動させることができる。しかし、押圧部材５７および５８を押圧部材支持台５９および６０に対して摺動させる以外の方法で、押圧部材５７および５８をヘッドレスト５２に近づく方向に移動させてもよい。
【０１１９】
本実施形態では、固定ねじ６１および６２を用いて、押圧部材５７および５８を押圧部材支持台５９および６０に固定することができる。しかし、固定ねじ６１および６２を用いる代わりに、例えば、押圧部材５７および５８に突起を設けるとともに、押圧部材支持台５９および６０に押圧部材５７および５８の突起が挿入される貫通孔を設け、押圧部材５７および５８の突起を押圧部材支持台５９および６０の貫通孔に挿入することによって、押圧部材５７および５８を押圧部材支持台５９および６０に固定するようにしてもよい。
【０１２０】
本実施形態では、押圧部材５７および５８は、それぞれ２つの押圧パッドを有している。しかし、押圧パッドの数は、1つでもよく、３つ以上であってもよい。また、押圧パッドとは異なる別の押圧部を備え、コイルエレメント収容部材を被検体の撮影部位に押し付けるようにしてもよい。
【０１２１】
本実施形態では、押圧部材支持台５９および６０は基板５１に固定されている。しかし、基板５１と押圧部材５９および６０とが一体的に成形された支持体を製造し、この一体的に成形された支持体で、押圧部材５７および５８を摺動自在に支持してもよい。
【０１２２】
本実施形態では、コイルエレメント収容部材５３の被付着面６３２ｂは、保持アーム５５の付着面５５４ｂよりも広い面積を有している。しかし、コイルエレメント収容部材５３の被付着面６３２ｂは、保持アーム５５の付着面５５４ｂと同じ面積又は保持アーム５５の付着面５５４ｂよりも小さい面積であってもよい。
【０１２３】
本実施形態では、コイルエレメント収容部材５３に被付着面６３２ｂを設けるとともに、保持アーム５５に付着面５５４ｂを設けることによって、保持アーム５５がコイルエレメント収容部材５３を保持する。しかし、被付着面６３２ｂおよび付着面５５４ｂを設ける代わりに、別の機構を用いて、保持アーム５５がコイルエレメント収容部材５３を保持するように構成してもよい。
【０１２４】
また、本実施形態では、保持アーム５５は、コイルエレメント収容部材５３を着脱自在に保持する。しかし、コイルエレメント収容部材５３が保持アーム５５に固定されていてもよい。
【０１２５】
尚、本実施形態では、被検体１４の頭部１４ａから頸部１４ｂにかけての部位を撮影している。しかし、本発明のコイルは、頭部１４ａや頸部１４ｂの撮影に限定されるものではなく、頭部１４ａや頸部１４ｂ以外の別の部位（例えば、脚部）の撮影にも適用可能である。例えば、脚部を撮影したい場合は、コイルエレメント収容部材５３および５４の代わりに、脚部の形状にフィットするように成形された脚部用コイルエレメント収容部材を使用すればよい。本発明のコイルは、押圧部材を有しているので、押圧部材で脚部用コイルエレメント収容部材を脚部に押し付けることによって、脚部の高品質なＭＲ画像を得ることができる。
【図面の簡単な説明】
【０１２６】
【図１】本発明の一実施形態の磁気共鳴イメージングシステム１のブロック図である。
【図２】コイル１３の斜視図である。
【図３】コイル１３の上面図である。
【図４】コイル１３の分解斜視図である。
【図５】基板５１から、ヘッドレスト５２と、２つの保持アーム５５および５６と、２つの支持部材５９および６０とを分離して示した図である。
【図６】基板５１のヘッドレスト固定用領域５１０にヘッドレスト受部５２ａが固定された様子を示す図である。
【図７】ヘッドレスト受部５２ａにスポンジ５２ｂが貼り付けられた様子を示す図である。
【図８】保持アーム５５の拡大図である。
【図９】保持アーム５５の分解斜視図である。
【図１０】付着シート台５５３から付着シート５５４を分離して示した図である。
【図１１】付着シート台５５３の斜視図（ａ）、正面図（ｂ）、側面図（ｃ）、上面図（ｄ）、および図１１（ｄ）のＡ−Ａ断面図（ｅ）である。
【図１２】基板５１の保持アーム固定用領域５１１および５１２に、それぞれ保持アーム５５および５６が固定された様子を示す図である。
【図１３】押圧部材支持台５９の斜視図である。
【図１４】図１３のＡ−Ａ断面図である。
【図１５】図１３のＢ−Ｂ断面図である。
【図１６】基板５１の支持台固定用領域５１３および５１４に、それぞれ押圧部材支持台５９および６０が固定された様子を示す図である。
【図１７】図１６のＡ−Ａ断面図である。
【図１８】保持アーム５５および５６にコイルエレメント収容部材５３および５４が取り付けられた様子を示す斜視図である。
【図１９】コイルエレメント収容部材５３を正面側から見た斜視図である。
【図２０】コイルエレメント収容部材５３を背面側から見た斜視図である。
【図２１】コイルエレメント筐体６３から、スポンジ７３を分離して示した図である。
【図２２】コイルエレメント筐体６３の分解斜視図である。
【図２３】内側筐体部６３１の内面６３１ｂを示す図である。
【図２４】コイルエレメント筐体６３の外側筐体部６３２の外面６３２ａを示す図である。
【図２５】押圧部材５７を正面側から見たの斜視図である。
【図２６】押圧部材５７の分解斜視図である。
【図２７】押圧パッド台５７１を正面側から見た斜視図である。
【図２８】押圧パッド台５７１を背面側から見た斜視図である。
【図２９】押圧パッド台５７１の正面図である。
【図３０】押圧パッド台５７１の背面図である。
【図３１】押圧パッド台５７１の上面図である。
【図３２】押圧パッド台５７１の下面図である。
【図３３】押圧部材５７が押圧部材支持台５９にどのように支持されているかを説明する図である。
【図３４】押圧部材５７の側端縁６７１ｄおよび６７１ｅの一部が、それぞれ押圧部材支持台５９の嵌入溝５９ｄおよび５９ｅに嵌入した様子を示す図である。
【図３５】押圧部材５７を横方向ＤＬにスライドさせた後の様子を示す図である。
【図３６】図３５を上から見た図である。
【図３７】図３６のＡ−Ａ断面図である。
【図３８】固定ねじ６１を斜め上からみた斜視図（ａ）、固定ねじ６１の側面図（ｂ）である。
【図３９】押圧部材５７が固定ねじ６１で押圧部材支持台５９に固定される前の様子を示す図である。
【図４０】押圧部材５７が固定ねじ６１で押圧部材支持台５９に固定された後の様子を示す図である。
【図４１】ヘッドレスト５２に被検体１４の頭部１４ａが配置されたコイル１３の上面図である。
【図４２】コイルエレメント収容部材５３および５４が被検体１４の頭部１４ａおよび頸部１４ｂの側面に接触するように、保持アームのアーム部を屈曲させたときのコイル１３の上面図である。
【図４３】図４２のコイル１３をコイルエレメント収容部材５３の側から見た側面図である。
【図４４】コイルエレメント収容部材５３が保持アーム５５から取り外された状態のコイル１３の上面図である。
【図４５】図４４のコイル１３を保持アーム５５側から見た側面図である。
【図４６】操作者２９が、コイルエレメント収容部材５３を、被検体１４の頭部１４ａおよび頸部１４ｂの所望の位置で支えているときのコイル１３の上面図である。
【図４７】図４６のコイル１３をコイルエレメント収容部材５３の側から見た側面図である。
【図４８】操作者２９が保持アームの付着部をコイルエレメント収容部材５３の被付着面に付着させたときのコイル１３の上面図である。
【図４９】図４８のコイル１３をコイルエレメント収容部材５３の側から見た側面図である。
【図５０】押圧部材５７および５８を、ヘッドレスト５２に近づく方向に摺動させたときのコイル１３の上面図である。
【符号の説明】
【０１２７】
１  磁気共鳴イメージングシステム
１０  ＭＲ装置
１１  ガントリ
１２  テーブル
１３  コイル
１４  被検体
１４ａ  頭部
１４ｂ  頸部
２０  制御装置
３０  操作装置
３１  モニタ
５１  基板
５２  ヘッドレスト
５２ａ  ヘッドレスト受部
５２ｂ、７３  スポンジ
５３、５４  コイルエレメント収容部材
５５、５６  保持アーム
５７、５８  押圧部材
５９、６０  押圧部材支持台
５９ａ  支持面
５９ｂ、５９ｃ  側部
５９ｄ、５９ｅ  嵌入溝
５９ｆ、５９ｇ  側端面
５９ｈ、６０ｈ  貫通孔
５９ｉ、６１ａ、６１ｄ、５５１ｃ、５５３ｄ  ねじ溝
６１、６２  固定ねじ
６１ａ  頭部
６１ｂ  首部
６１ｃ  軸部
６３  コイルエレメント筐体
５１０  ヘッドレスト固定用領域
５１１、５１２  保持アーム固定用領域
５１３、５１４  支持台固定用領域
５５１  アーム部
５５１ａ  下端
５５１ｂ  上端
５５２  付着部
５５３  付着シート台
５５３ａ  取付部
５５３ｂ  被貼付面
５５３ｃ、６７１ｃ  貫通孔
５５４  付着シート
５７１  押圧パッド台
５７２、５７３  押圧パッド
６３１  内側筐体部
６３１ａ  外面
６３１ｂ  内面
６３２  外側筐体部
６３３、６３４、６３５  コイルエレメント
６７１  パッド台水平基板
６７１ａ  上面
６７１ｂ  下面
６７１ｄ、６７１ｅ  側端縁
７７１、８７１  パッド台垂直基板
【図１】
2010051583.tif 000003
【図２】
2010051583.tif 000004
【図３】
2010051583.tif 000005
【図４】
2010051583.tif 000006
【図５】
2010051583.tif 000007
【図６】
2010051583.tif 000008
【図７】
2010051583.tif 000009
【図８】
2010051583.tif 000010
【図９】
2010051583.tif 000011
【図１０】
2010051583.tif 000012
【図１１】
2010051583.tif 000013
【図１２】
2010051583.tif 000014
【図１３】
2010051583.tif 000015
【図１４】
2010051583.tif 000016
【図１５】
2010051583.tif 000017
【図１６】
2010051583.tif 000018
【図１７】
2010051583.tif 000019
【図１８】
2010051583.tif 000020
【図１９】
2010051583.tif 000021
【図２０】
2010051583.tif 000022
【図２１】
2010051583.tif 000023
【図２２】
2010051583.tif 000024
【図２３】
2010051583.tif 000025
【図２４】
2010051583.tif 000026
【図２５】
2010051583.tif 000027
【図２６】
2010051583.tif 000028
【図２７】
2010051583.tif 000029
【図２８】
2010051583.tif 000030
【図２９】
2010051583.tif 000031
【図３０】
2010051583.tif 000032
【図３１】
2010051583.tif 000033
【図３２】
2010051583.tif 000034
【図３３】
2010051583.tif 000035
【図３４】
2010051583.tif 000036
【図３５】
2010051583.tif 000037
【図３６】
2010051583.tif 000038
【図３７】
2010051583.tif 000039
【図３８】
2010051583.tif 000040
【図３９】
2010051583.tif 000041
【図４０】
2010051583.tif 000042
【図４１】
2010051583.tif 000043
【図４２】
2010051583.tif 000044
【図４３】
2010051583.tif 000045
【図４４】
2010051583.tif 000046
【図４５】
2010051583.tif 000047
【図４６】
2010051583.tif 000048
【図４７】
2010051583.tif 000049
【図４８】
2010051583.tif 000050
【図４９】
2010051583.tif 000051
【図５０】
2010051583.tif 000052